(57)【要約】  本発明は、上部が開放され、ネックの内部に挿入される側面下端部に、添加物が排出される多数の排出口を具備する第２円筒部と、前記第２円筒部の上端外周部から突出形成されて、前記ネックの係止突起に着脱可能に結合される結合部とを具備する内部キャップと、上部板の内側から前記第２円筒部の内周面に面接触方式でスライド結合されて、下端部が前記多数の排出口を遮断するように軸方向に延長された第１円筒部と、前記上部板の外周部から前記ネックの外周部と螺合するように軸方向に沿って延長された螺合部とを具備する外部キャップと、を含む容器蓋を開示する。前記外部キャップの部分オープン時に前記多数の排出口は開放されて、前記収容空間の添加物が容器本体の内部に排出され、前記外部キャップの完全オープン時に内部キャップが外部キャップと共に容器本体から分離される。  【選択図】図７
2012519631.tif 000002
【特許請求の範囲】
【請求項１】
内容物が入っている容器本体から延長され、最上側に環状の係止突起が突出形成されるネックに着脱可能に結合され、内部の収容空間に添加物が収容された容器蓋において、
前記容器蓋は、
上部が開放され、前記ネックの内部に挿入される側面下端部に、前記添加物が排出される多数の排出口を具備する第２円筒部と、前記ネックの係止突起を取り囲むように、前記第２円筒部の上端外周部から突出形成されて、前記ネックの係止突起に着脱可能に結合される結合部とを具備する内部キャップと、
上部板の内側から前記第２円筒部の内周面に面接触方式でスライド結合されて、下端部が前記多数の排出口を遮断するように軸方向に延長された第１円筒部と、前記上部板の外周部から前記ネックの外周部と螺合するように軸方向に沿って延長された螺合部とを具備する外部キャップと、を含み、
前記結合部は、その外周面に形成されて、前記外部キャップの完全オープン時に前記螺合部の上側内周部に配置された係止突起部と係合される第１係止突起と、前記結合部の先端部の内周面に形成されて、前記ネックの係止突起に着脱可能に結合される第２係止突起とを含み、
前記外部キャップの部分オープン時に前記多数の排出口は開放されて、前記収容空間の添加物が容器本体の内部に排出され、前記外部キャップの完全オープン時に前記外部キャップが内部キャップと共に容器本体から分離されることを特徴とする、容器蓋。
【請求項２】
前記第２円筒部は、前記多数の排出口を形成するように、下端に間隔を置いて延長された多数の連結部と、
中央部が前記収容空間の内部に突出された傾斜底部と、
前記傾斜底部から軸方向に延設されて第１円筒部の下端が選択的に嵌合され、下端部が前記多数の連結部の下端に連結される円筒状の延長部と、をさらに含むことを特徴とする、請求項１に記載の容器蓋。
【請求項３】
前記外部キャップの部分オープン時に前記係止突起と第２係止突起との間の結合力は、傾斜底部の円筒状の延長部と第１円筒部との間の結合力よりも大きく設定され、
前記外部キャップの完全オープン時に係止突起部によって第１係止突起に加えられる上向加圧力が、係止突起と第２係止突起との間の結合力よりも大きく設定されることを特徴とする、請求項１に記載の容器蓋。
【請求項４】
前記結合部の上部面と前記上部板の下部面との間をシーリングするために、前記結合部の上部面に突出形成される環状小突起をさらに含むことを特徴とする、請求項１に記載の容器蓋。
【請求項５】
前記第２円筒部の最上部に延長形成されるシーリング用延長部と、
前記第１円筒部の下部面に形成されて、前記内部キャップと外部キャップが完全に結合されるとき、前記シーリング用延長部が嵌合される環状凹溝と、をさらに含むことを特徴とする、請求項１に記載の容器蓋。
【請求項６】
前記内部キャップは、外部キャップよりも相対的に弾性変形率が大きい材質であることを特徴とする、請求項１に記載の容器蓋。
【請求項７】
前記第２円筒部の内周部に環状で突出形成されて、前記第１円筒部との間にシーリング構造を形成する環状小突起をさらに含むことを特徴とする、請求項１に記載の容器蓋。
【請求項８】
前記円筒状の延長部の外周部と前記円筒状の延長部の外周部に嵌合される第１円筒部の下端内周部のうち少なくともいずれか１つに、環状で突出形成されてシーリング構造を形成する環状小突起をさらに含むことを特徴とする、請求項２に記載の容器蓋。
【請求項９】
前記ネックは、前記係止突起の下側に配置されて、螺合部と螺合される雄ねじ山を含み、前記係止突起は、内部キャップの結合部が結合された状態で雄ねじ山に螺合される外部キャップの螺合部が結合されるとき、相互間に衝突が発生することを防止するように、雄ねじ山の外径よりも小さな外径からなることを特徴とする、請求項１に記載の容器蓋。
【請求項１０】
前記外部キャップの部分オープン時に結合部に形成された第１係止突起とスナップ結合される凹溝を形成するために、前記係止突起部の上部に配置された半球状のリング状突起をさらに含むことを特徴とする、請求項１に記載の容器蓋。
【請求項１１】
前記結合部の第１係止突起は、外部キャップと内部キャップとの組立時に螺合部の係止突起部とスナップ結合されるように上側面に傾斜面または曲面が形成され、外部キャップの完全オープン時に螺合部の係止突起部と係合されるように、下側面が結合部の外周面と直角をなし、
前記螺合部の係止突起部は、組立時に結合部の第１係止突起とスナップ結合されるように下側面に傾斜面または曲面が形成され、外部キャップの完全オープン時に結合部の第１係止突起と係合されるように、上側面が螺合部の内周面と直角をなすことを特徴とする、請求項１に記載の容器蓋。
【請求項１２】
最上側に環状の係止突起が突出形成され、前記係止突起の下側に雄ねじ山が配置されたネックに着脱可能に結合され、部分オープン時に内部の収容空間に収容された添加物が容器本体に投入され、完全オープン時に前記容器本体から一緒に分離される内部キャップ及び外部キャップを含み、
前記内部キャップは、
上部が開放され、前記ネックの内部に挿入される側面下端部に、収容空間に収容された添加物が排出される多数の排出口を具備する第２円筒部と、
前記多数の排出口を形成するように、前記第２円筒部の下端に間隔を置いて延長された多数の連結部と、
中央部が前記収容空間の内部に突出され、外周部が軸方向に延設されて、下端部が前記多数の連結部の下端に連結される円筒状の延長部を具備する傾斜底部と、
前記ネックの前記係止突起を取り囲むように、前記第２円筒部の上端外周部から突出形成されて、前記ネックの前記係止突起に着脱可能に結合され、外周面に環状で第１係止突起が突出形成され、先端部の内周面に前記ネックの係止突起に着脱可能に結合される第２係止突起が形成された結合部と、を含み、
前記外部キャップは、
円形の上部板と、
前記上部板の内側から前記第２円筒部の内周面に面接触方式でスライド結合されて、下端部が前記多数の排出口を遮断するように軸方向に延長されて、前記円筒状の延長部と結合されるとき、選択的に前記収容空間をシーリング状態で設定する第１円筒部と、
前記上部板の外周部から前記ネックの雄ねじ山と螺合されるように軸方向に沿って延長され、外部キャップの完全オープン時に前記内部キャップの第１係止突起と係合される係止突起部が上側内周部に配置された螺合部とを含むことを特徴とする、容器蓋。
【請求項１３】
前記外部キャップの完全オープン時に前記係止突起部によって第１係止突起に加えられる上向加圧力が、係止突起の下側面と第２係止突起の間の結合力よりも大きく設定されることを特徴とする、請求項１２に記載の容器蓋。
【請求項１４】
前記外部キャップの部分オープン時に前記係止突起と第２係止突起との間の結合力は、傾斜底部の円筒状の延長部と第１円筒部との間の結合力よりも大きく設定されることを特徴とする、請求項１２に記載の容器蓋。
【請求項１５】
前記第２円筒部の内周部に環状で突出形成されて、前記第１円筒部との間にシーリング構造を形成する環状小突起をさらに含むことを特徴とする、請求項１２に記載の容器蓋。
【発明の詳細な説明】
【技術分野】
【０００１】
本発明は、容器蓋に係り、特に、外部キャップの１段階部分オープン時に容器蓋に隔離収容された添加物を容器本体に投入させ、外部キャップの２段階完全オープン時に内部キャップを外部キャップと共に容器から分離することができて、使用の便宜性を図ることのできる容器蓋に関するものである。
【背景技術】
【０００２】
飲料水や化粧品などの容器は、一般に様々な原料を混合した内容物を収容することのできる収容空間が設けられた容器本体と、この容器本体の入口を気密に密封するための容器蓋またはキャップからなっている。
【０００３】
最近、機能性飲料や化粧品が出現しつつ、消費者によって使用される時点で互いに異なる内容物を混合することができる構造の容器に対する必要性が台頭している。
【０００４】
すなわち、殆どの飲料はあらかじめ混合されて販売されるが、例えば、ビタミンＣなどのビタミンは熱や紫外線によって、または水分との結合によって比較的に早く破壊される。したがって、敏感性ビタミンは、飲料を消費する直前に添加することが望ましい。同一の理由で、ビタミン飲料を長期間保管するためには透明や半透明または透湿しやすい容器が適合しない場合が多い。
【０００５】
これによって、取り扱いが簡便であり且つ敏感性の活性添加物を基本飲料の消費直前に消費者が容易に直接添加することのできる飲料容器が開発された。ところが、従来の容器蓋の構成を見ると、通常的に互いに異なる内容物を区画する区画部材や内部キャップが具備されており、容器を密封しているキャップや蓋をオープンすると、このような区画部材や内部キャップが容器本体内の収容空間に引き込まれるように構成されている。
【０００６】
このような区画部材が収容空間に内容物と共に存在すると、内容物を飲用するときに内容物の引き出しを妨害するという問題点があり、また、ゾル状の内容物に対しては区画部材が底部に沈まないので引き出される通路を塞ぐ場合も発生する。さらに、このような構造は、飲料水を飲用するとき、収容空間に引き込まれた区画部材が飲料水と共に使用者の口の中へ入る可能性もある。
【０００７】
一方、特許文献１には、外周縁に雄ねじが形成される注入口を有する容器本体と、注入口の内側に分離可能に挿入される貯蔵部材と、注入口の雄ねじに螺合され、螺合部が所定距離だけ緩められると貯蔵部材と干渉されて、貯蔵部材を注入口から分離させる開放部材と、を含む容器蓋が開示されている。
【０００８】
上記特許文献１によれば、容器蓋の開放部材を回転させると、メインキャップの雌ねじと外側係止突起はそれぞれ注入口の雄ねじと収容部の雄ねじに沿って螺旋運動し軸方向に移動し、内側係止突起は収容部の内面に沿って摩擦しながらスライド移動すると、スライダーの下端が収容部の底面から離脱して排出口が開放されるので、添加物が容器本体の内部に投入され、開放部材の上昇が開始されると共に端部プレートがフランジから分離されるので、連通孔が開放されて外気が添加物収容空間に作用されることによって添加物の排出がなされる。
【０００９】
また、上昇動作が続けて行われると、外側係止突起が外側突起に触れ、同時に内側係止突起は内側突起に触れ合うことになって、容器本体は良好なシール性能を維持することになって混合物の漏出が発生しなくなる。続けて開放部材を回転させると、外側係止突起の内周部先端に形成される外部ラチェットが収容部の内部ラチェットと干渉して、開放部材と貯蔵部材の相対回転が制限されるので、貯蔵部材の回転を伴うことになり、このような状態で、開放部材をさらに回転させると、メインキャップの雌ねじが注入口の雄ねじから離脱することになる。このような状態で、使用者は開放部材を回転させながら軸方向に引っ張ると、貯蔵部材は開放部材と共に回転しながら注入口から分離される。
【００１０】
上記のように、従来の容器蓋は、開放部材の上昇時に収容部のフランジが端部プレートから分離されながら端部プレートの連通孔を開放させて、外気が添加物収容空間に作用して添加物の排出がなされるように構成されている。
【００１１】
これのために、従来の容器蓋は、連通孔が形成された端部プレートと仕上げプレートとの間に１つの空間部と、端部プレートと外側係止突起及び内側係止突起との間に他の空間部を具備している。ところが、このような多数の空間部を有する構成は、樹脂を使用した射出成形法によっては製作が不可能な構造である。したがって、このような構造を実現するためには、少なくとも２つの部分品を製作したあと、これら部分品を相互接合させなければならないので製造コストの上昇を招く。
【００１２】
また、従来の容器蓋は、収容部の先端部に直角に折曲された端部プレートを外側係止突起と内側係止突起の間の狭い環状空間を通じて挿入させて組み立てなければならないが、添加物の排出及び混合のためのメインキャップの１段階上昇時には、端部プレートが環状空間をシーリングするように端部プレートが環状空間の幅よりも大きく形成されることが好ましいので、収容部の端部プレートを環状空間の内部に挿入及び組み立てる工程が容易にできないという問題がある。また、端部プレートが外側係止突起と内側係止突起の間の狭い環状空間を通じて挿入及び組み立てられるとき、外側係止突起が収容部の外部の雄ねじと螺合されており、回転式に組み立てなければならないので製品の組立自動化を難しくする構造を有している。
【００１３】
前記容器蓋は、一度使用した後再使用の場合にも分解及び組み立てが容易ではなく、複雑な多段空間部構造を有しているため、洗浄が容易でなくて再使用のための処理費用が高まる問題がある。
【００１４】
さらに、前記容器蓋は、１段階開放以後に開放部材を回転し続けて開放部材を貯蔵部材と共に容器本体から分離させるために、外側係止突起の先端に外部ラチェットを形成し、収容部の端部プレートの下側に内部ラチェットを形成することによって、外部ラチェットと内部ラチェット間の干渉を発生させて、開放部材と貯蔵部材の相対回転を制限し貯蔵部材の回転を伴っている。ところが、狭い環状空間に位置された外側係止突起の内周部に外部ラチェットを形成することは、射出金型の設計を非常に難しくし、精密金型を要求することになって、金型製作費の上昇を招くことになる。
【００１５】
また、上記従来の容器蓋は、使用者が１段階開放を完全に実施しない場合には、端部プレートが環状空間を充分にシーリングできないので、容器内部の混合物の漏出が発生することがある。
【先行技術文献】
【特許文献】
【００１６】
【特許文献１】大韓民国特許公開第２００５−６９３９７号
【発明の概要】
【発明が解決しようとする課題】
【００１７】
本発明は、上記のような従来技術の問題点を解決するために案出されたもので、その目的は、外部キャップの１段階部分オープン時に容器蓋に隔離収容された添加物を容器に排出して混合させ、２段階完全オープン時に内部キャップが外部キャップと共に容器から分離されることができて、使用の便宜性を図ることのできる容器蓋を提供することにある。
【００１８】
本発明の他の目的は、外部キャップの１段階部分オープン前及び後のいずれの段階でもシーリングが維持されて、混合物の漏出が発生しない容器蓋を提供することにある。
【００１９】
本発明のまた他の目的は、外部キャップと内部キャップとの結合時に形成される添加物収容空間の内部圧力が、容器内部及び外気よりも高く設定されて、外部空気が収容空間の内部に混入されることを遮断して、添加物の長期保存が可能な容器蓋を提供することにある。
【００２０】
本発明のまた他の目的は、外部キャップと内部キャップの結合構造及びシーリング構造が射出成形が容易な構造を有するようにすると共に、螺合式組み立ての代りに一回のプッシング動作で外部キャップと内部キャップの組み立てが容易にできて、製品の組立自動化が容易な容器蓋を提供することにある。
【００２１】
本発明のまた他の目的は、一度使用した後再使用の場合にも分解／組み立てが容易で且つ洗浄が容易であるので、経済的に再使用が可能な容器蓋を提供することにある。
【課題を解決するための手段】
【００２２】
上記目的を達成するために本発明の一特徴によれば、本発明は、内容物が入っている容器本体から延長され、最上側に環状の係止突起が突出形成されたネックに着脱可能に結合され、内部の収容空間に添加物が収容された容器蓋において、上部が開放され、前記ネックの内部に挿入される側面下端部に、前記添加物が排出される多数の排出口を具備する第２円筒部と、前記第２円筒部の上端外周部から突出形成されて、前記ネックの係止突起に着脱可能に結合される結合部とを具備する内部キャップと、上部板の内側から前記第２円筒部の内周面に面接触方式でスライド結合されて、下端部が前記多数の排出口を遮断するように軸方向に延長された第１円筒部と、前記上部板の外周部から前記ネックの外周部と螺合するように軸方向に沿って延長された螺合部とを具備する外部キャップと、を含み、前記外部キャップの部分オープン時に前記多数の排出口は開放されて、前記収容空間の添加物が容器本体の内部に排出され、前記外部キャップの完全オープン時に前記外部キャップが内部キャップと共に容器本体から分離されることを特徴とする、容器蓋を提供する。
【００２３】
前記結合部は、外周面に前記外部キャップの完全オープン時に前記螺合部の上側内周部に配置された係止突起部と係合される第１係止突起と、先端部の内周面に前記ネックの係止突起に着脱可能に結合される第２係止突起と、を含む。
【００２４】
この場合、前記第２円筒部は、前記多数の排出口を形成するように、下端に間隔を置いて延長された多数の連結部と、中央部が前記収容空間の内部に突出された傾斜底部と、前記傾斜底部から軸方向に延設されて第１円筒部の下端が選択的に嵌合され、下端部が前記多数の連結部の下端に連結される円筒状の延長部と、をさらに含むことが好ましい。
【００２５】
また、前記外部キャップの部分オープン時に前記係止突起と第２係止突起との間の結合力は、傾斜底部の円筒状の延長部と第１円筒部との間の結合力よりも大きく設定され、前記外部キャップの完全オープン時に係止突起部によって第１係止突起に加えられる上向加圧力が、係止突起と第２係止突起との間の結合力よりも大きく設定されることが好ましい。
【００２６】
さらに、前記円筒状の延長部に第１円筒部の下端が嵌合されるとき、内部に前記添加物が収容される収容空間を形成し、前記収容空間はシーリング状態で設定される。
【００２７】
また、前記第２円筒部の内周部に環状で突出形成されて、前記第１円筒部との間にシーリング構造を形成する第１環状小突起と、前記結合部の上部面に突出形成されて、上部板の下部面と面接触されるときにシーリング構造を形成する第２環状小突起と、をさらに含むことが好ましい。
【００２８】
前記内部キャップは、外部キャップと比較するとき、相対的に弾性変形率が大きい材料で成形されることが好ましい。
【００２９】
本発明の他の特徴によれば、本発明は、内容物が入っている容器本体から延長され、最上側に環状の係止突起が突出形成されたネックに着脱可能に結合される容器蓋において、上部が開放され、前記ネックの内部に挿入される側面下端部に、内部の収容空間に収容された添加物が排出される多数の排出口を具備する第２円筒部と、前記第２円筒部の上端外周部から突出形成されて、前記ネックの係止突起に着脱可能に結合され、外周面に環状で第１係止突起が突出形成され、先端部の内周面に前記ネックの係止突起に着脱可能に結合される第２係止突起が形成された結合部とを具備する内部キャップと、上部板の内側から前記第２円筒部の内周面に面接触方式でスライド結合されて、下端部が前記多数の排出口を遮断するように軸方向に延長されて、前記第２円筒部と結合されるとき、選択的に前記収容空間をシーリング状態で設定する第１円筒部と、前記上部板の外周部から前記ネックの外周部と螺合されるように軸方向に沿って延長され、前記容器蓋の完全オープン時に前記内部キャップと共に容器本体から分離されるように、前記内部キャップの第１係止突起と係合される係止突起部が上側内周部に配置された螺合部とを具備する外部キャップと、を含み、前記外部キャップの部分オープン時に前記多数の排出口は開放されて、前記収容空間の添加物が容器本体の内部に排出されることを特徴とする、容器蓋を提供する。
【００３０】
前記容器蓋において、前記第２円筒部は、前記多数の排出口を形成するように、下端に間隔を置いて延長された多数の連結部と、中央部が前記収容空間の内部に突出された傾斜底部と、前記傾斜底部から軸方向に延設されて、第１円筒部の下端が選択的に嵌合され、下端部が前記多数の連結部の下端に連結される円筒状の延長部と、をさらに含むことが好ましい。
【００３１】
この場合、前記外部キャップの部分オープン時に前記係止突起と第２係止突起との間の結合力は、傾斜底部の円筒状の延長部と第１円筒部との間の結合力よりも大きく設定され、外部キャップの完全オープン時に係止突起部によって第１係止突起に加えられる上向加圧力が、係止突起の下側面と第２係止突起との間の結合力よりも大きく設定されることが好ましい。
【００３２】
また、前記容器蓋は、前記円筒状の延長部の外周部と前記円筒状の延長部の外周部に嵌合される第１円筒部の下端内周部のうち少なくともいずれか１つに、環状で突出形成されてシーリング構造を形成する第１環状小突起と、前記第２円筒部の内周部に環状で突出形成されて、前記第１円筒部との間にシーリング構造を形成する第２環状小突起と、前記結合部の上部面に突出形成されて、上部板の下部面と面接触されるときにシーリング構造を形成する第３環状小突起と、をさらに含むことが好ましい。
【００３３】
さらに、前記容器蓋は、前記螺合部の最下側に一体に形成され、内周部に多数の突起部が間隔を置いて形成されて、容器蓋のオープン時に分離されてネックに残留するスカートと、をさらに含み、前記ネックは、前記螺合部と螺合される雄ねじ山の下側に配置されて、前記スカートの突起部とスナップ結合され、容器蓋のオープン時にスカートを分離させてネックに残留させる環状の遮断突起を含むことが好ましい。
【００３４】
前記ネックは、前記係止突起の下側に配置されて、螺合部と螺合される雄ねじ山を含み、前記係止突起は、内部キャップの結合部が結合された状態で雄ねじ山に螺合される外部キャップの螺合部が結合されるとき、相互間に衝突が発生することを防止するように、雄ねじ山の外径よりも小さな外径からなることが好ましい。
【００３５】
また、前記結合部の第１係止突起は、外部キャップと内部キャップの組立時に螺合部の係止突起部とスナップ結合されるように上側面に傾斜面または曲面が形成され、容器蓋の完全オープン時に螺合部の係止突起部と係合されるように、下側面が結合部の外周面と直角をなし、前記螺合部の係止突起部は、組立時に結合部の第１係止突起とスナップ結合されるように下側面に傾斜面または曲面が形成され、容器蓋の完全オープン時に結合部の第１係止突起と係合されるように、上側面が螺合部の内周面と直角をなすことが好ましい。
【００３６】
さらに、前記容器蓋の部分オープン時に結合部に形成された第１係止突起とスナップ結合される凹溝を形成するために、前記係止突起部の上部に配置された半球状のリング状突起をさらに含むことが好ましい。
【００３７】
前記係止突起の下側面と第２係止突起の上側面とが接する接触面が水平面となす傾斜角は、第２係止突起の弾性力を考慮して設定されることが好ましい。
【００３８】
本発明のまた他の特徴によれば、本発明は、最上側に環状の係止突起が突出形成され、係止突起の下側に雄ねじ山が配置されたネックに着脱可能に結合され、部分オープン時に内部の収容空間に収容された添加物がネックの内部の容器本体に投入され、完全オープン時に容器本体から一緒に分離される内部キャップ及び外部キャップを含み、前記内部キャップは、上部が開放され、前記ネックの内部に挿入される側面下端部に、内部の収容空間に収容された添加物が排出される多数の排出口を具備する第２円筒部と、前記多数の排出口を形成するように、第２円筒部の下端に間隔を置いて延長された多数の連結部と、中央部が前記収容空間の内部に突出され、外周部が軸方向に延設されて、下端部が前記多数の連結部の下端に連結される円筒状の延長部を具備する傾斜底部と、前記第２円筒部の上端外周部から突出形成されて、前記ネックの係止突起に着脱可能に結合され、外周面に環状で第１係止突起が突出形成され、先端部の内周面に前記ネックの係止突起に着脱可能に結合される第２係止突起が形成された結合部と、を含み、
前記外部キャップは、円形の上部板と、前記上部板の内側から前記第２円筒部の内周面に面接触方式でスライド結合されて、下端部が前記多数の排出口を遮断するように軸方向に延長されて、前記円筒状の延長部と結合されるとき、選択的に前記収容空間をシーリング状態で設定する第１円筒部と、前記上部板の外周部から前記ネックの雄ねじ山と螺合されるように軸方向に沿って延長され、外部キャップの完全オープン時に前記内部キャップの第１係止突起と係合される係止突起部が上側内周部に配置された螺合部と、を含むことを特徴とする、容器蓋を提供する。
【００３９】
本発明の他の特徴によれば、本発明は、内容物が入っている容器本体から延長され、内周部に係止凹溝を具備したネックに着脱可能に結合される容器蓋において、上部が開放され、前記ネックの内部に挿入される側面下端部に、内部の収容空間に収容された添加物が排出される多数の排出口を具備し、上側外周部に前記係止凹溝にスナップ結合される第１係止突起を具備する第２円筒部と、中央部が前記収容空間の内部に突出され、外周部が軸方向に延設されて、下端部が前記第２円筒部の下端に連結される円筒状の延長部を具備する傾斜底部と、前記第２円筒部の第１係止突起の上端外周部からネックの上部に沿って延長され、先端部に第２係止突起が突出形成された結合部とを具備する内部キャップと、上部板の内側から前記第２円筒部の内周面に面接触方式でスライド結合されて、下端部が前記多数の排出口を遮断するように軸方向に延長されて、前記傾斜底部と結合されるとき、選択的に前記収容空間をシーリング状態で設定する第１円筒部と、前記上部板の外周部から前記ネックの外周部と螺合されるように軸方向に沿って延長され、前記容器蓋の完全オープン時に前記内部キャップと共に容器本体から分離されるように、前記内部キャップの第２係止突起と係合される係止突起部が上側内周部に配置された螺合部とを具備する外部キャップと、を含み、前記外部キャップの部分オープン時に前記多数の排出口は開放されて、前記収容空間の添加物が容器本体の内部に排出されることを特徴とする、容器蓋を提供する。
【００４０】
この場合、前記第１及び第２円筒部によって形成される収容空間は、容器本体の内部及び外部よりも高い圧力で設定されることが好ましい。
【発明の効果】
【００４１】
本発明によれば、外部キャップと内部キャップの結合構造及びシーリング構造を製造が容易な構造にすると共に、螺合式組立の代りに一回のプッシング動作で外部キャップと内部キャップの組み立てが容易にでき、また、一度使用した後再使用の場合にも分解／組立が容易であるので、洗浄後に経済的な再使用が可能である。
【００４２】
また、本発明では、外部キャップの１段階部分オープン時に容器蓋に収容された添加物を容器に排出／混合し、２段階完全オープン時に内部キャップが外部キャップと共に容器から分離されることができて、使用の便宜性を図り得る。
【００４３】
さらに、本発明では、外部キャップの１段階部分オープンの前／後、いずれの段階でもシーリングが維持されて、容器内容物の漏出が発生せず、外部キャップと内部キャップの結合時に形成される添加物収容空間の内部圧力が容器内部及び外気よりも高く設定されて、外部空気が収容空間の内部に混入されることを遮断して、添加物の長期保存が可能であるという利点もある。
【図面の簡単な説明】
【００４４】
【図１】本発明の好ましい第１実施例による容器蓋の構成を示す分解斜視図である。
【図２】各々本発明の好ましい第１実施例による容器蓋の使用動作を順次に説明するための切開斜視図である。
【図３】各々本発明の好ましい第１実施例による容器蓋の使用動作を順次に説明するための切開斜視図である。
【図４】各々本発明の好ましい第１実施例による容器蓋の使用動作を順次に説明するための切開斜視図である。
【図５】各々第１実施例による容器蓋の使用動作を順次に説明するための軸方向断面図、図６は、第１円筒部と傾斜底部の間のシーリング構造を説明するための断面図である。
【図６】各々第１実施例による容器蓋の使用動作を順次に説明するための軸方向断面図、図６は、第１円筒部と傾斜底部の間のシーリング構造を説明するための断面図である。
【図７】各々第１実施例による容器蓋の使用動作を順次に説明するための軸方向断面図、図６は、第１円筒部と傾斜底部の間のシーリング構造を説明するための断面図である。
【図８】各々第１実施例による容器蓋の使用動作を順次に説明するための軸方向断面図、図６は、第１円筒部と傾斜底部の間のシーリング構造を説明するための断面図である。
【図９】第１実施例の容器蓋に添加物を包装する過程を段階的に示す工程断面図である。
【図１０】第１実施例の容器蓋に添加物を包装する過程を段階的に示す工程断面図である。
【図１１】各々本発明の好ましい第２実施例による容器蓋の使用動作を順次に説明するための軸方向断面図である。
【図１２】各々本発明の好ましい第２実施例による容器蓋の使用動作を順次に説明するための軸方向断面図である。
【図１３】各々本発明の好ましい第２実施例による容器蓋の使用動作を順次に説明するための軸方向断面図である。
【図１４】本発明の好ましい第３実施例による容器蓋を示す断面図である。
【発明を実施するための形態】
【００４５】
以下、添付の図面を参照して本発明による容器蓋を説明すると、次の通りである。
【００４６】
添付の図１は、本発明の好ましい第１実施例による容器蓋の構成を示す分解斜視図、図２乃至図４は、各々本発明の好ましい第１実施例による容器蓋の使用動作を順次に説明するための切開斜視図、図５乃至図８は、各々第１実施例による容器蓋の使用動作を順次に説明するための軸方向断面図、図９及び図１０は、第１実施例の容器蓋に添加物を包装する過程を段階的に示す工程断面図である。
【００４７】
まず、図１乃至図８を参考すると、本発明による容器蓋１は、大きく容器本体５のネック６に螺合され、使用者の操作力を受ける外部キャップ１０と、前記外部キャップ１０の内部に結合されて、外部キャップ１０と共にその内部に添加物Ａの収容空間１ａを形成する内部キャップ２０と、を含んでいる。
【００４８】
また、前記外部キャップ１０の最下側には、外部キャップ１０と一体に形成されるが、容器蓋１のオープン時に分離されてネック６に残留するスカート１０ａを、図５のように具備することが好ましい。前記スカート１０ａの内周部には、後述するネック６に形成された環状のリング状の遮断突起６ｃとスナップ結合されるように、多数の突起部が間隔を置いて形成されている。
【００４９】
前記スカート１０ａは、製品の製造業者が容器内部に、例えば、液状の内容物を入れた商品を販売者を通じて使用者に販売するとき、流通途中に製造業者が製造した商品の状態が損傷されずに、原形をそのまま維持しているか否かを確認するための用途で利用されるものであって、周知の技術である。
【００５０】
前記図１乃至図４の図面には、説明の便宜上、スカート１０ａが除去された状態をもって図示されている。
【００５１】
まず、容器本体５は、内部に液状の内容物を収容できるものであれば、円筒、四角筒などのいかなる形状を有するものでも適用可能であり、上側に入口を形成する円筒状のネック６には、その外周部に容器蓋１とねじ締結が可能なようにねじ山が形成されている。また、前記容器本体５の内部に収容される内容物は、液状以外に化粧品などの容器である場合、ゲルまたはゾル状態の内容物を含むことも可能である。
【００５２】
前記ネック６は、図４及び図５によく示されたように、下側に、容器蓋１のオープン時に外部キャップ１０から分離されてスカート１０ａを残留させるための環状のリング状の遮断突起６ｃが配置されている。また、遮断突起６ｃの下側には、容器蓋の組立時に利用される支持台６ｄが形成されている。前記スカート１０ａは、遮断突起６ｃと支持台６ｄの間の凹溝にスナップ結合方式で挿入される。
【００５３】
前記環状のリング状の遮断突起６ｃの上側には、１条ねじまたは２条以上の多条ねじの雄ねじ山６ａが配置され、ネック６の最上側には内部キャップ２０の結合部２２が結合されるように環状の係止突起６ｂが突出されている。前記係止突起６ｂは、内部キャップ２０の一端部が結合された状態で、雄ねじ山６ａに螺合される外部キャップ１０が結合されるとき、相互間に衝突が発生することを防止するように、雄ねじ山６ａの外径よりも小さな外径からなる。
【００５４】
前記遮断突起６ｃは、下側面がネック６の外周部となす角度が直角で形成されることが好ましく、係止突起６ｂの下側面とネック６の外周部がなす角度は、容器蓋１のオープン構造と関連しており、これに対しては、内部キャップ２０の結合部２２の結合構造を説明するとき、より詳細な説明がなされる。
【００５５】
前記容器蓋１は、前記容器本体５のネック６に結合されて内容物が流出されないように気密状態を維持すると共に、飲用のために外部キャップ１０の１段階部分オープン時に容器蓋１の内部の収容空間１ａに隔離収容された添加物Ａを容器本体５の内部に投入して内容物に混合させ、２段階完全オープン時に内部キャップ２０を外部キャップ１０と共に容器本体５から分離し得るように構成される。
【００５６】
これのために、本発明の第１実施例で、容器蓋１の外部キャップ１０は、上部面の中央が周辺よりも隆起するように２段折曲された段差部１２ａが形成された円形の上部板１２と、上部板１２の外周部から軸方向に沿って延長されて、ネック６に螺合される螺合部１１と、好ましくは、前記螺合部１１と間隔を置いて平行に上部板１２の段差部１２ａの内側から軸方向に沿って延長されて、内部キャップ２０と共にその内部に添加物Ａの収容空間１ａを形成する第１円筒部１３と、を含んでいる。
【００５７】
前記第１円筒部１３の外周部と上部板１２の段差部１２ａの内周部との間には環状凹溝１２ｂが形成され、凹溝１２ｂの機能については後述する。
【００５８】
前記螺合部１１は、好ましくは、その外周部に、使用者の操作力が印加されるとき、すべり防止のための多数のすべり防止用突起１１ａが突出形成され、内周部にネック６の雄ねじ山６ａと螺合されるように、１条または２条以上の多条ねじ山が形成される雌ねじ山１１ｂが形成されている。この場合、前記螺合部１１の外周面には多数の突起１１ａの代りに多数のすべり防止用凹溝が形成されることも可能である。
【００５９】
また、雌ねじ山１１ｂの上側内周部には、容器蓋１のオープン時に後述する内部キャップ２０の結合部２２に形成された第１係止突起２２ａとスナップ結合される凹溝１１ｄを形成するために、断面が略半球形状のリング状突起１１ｅと、前記リング状突起１１ｅと隣接して配置され、上側面が螺合部１１の内周面との間に直角をなすように突出されて、前記結合部２２の第１係止突起２２ａと係止される係止突起部１１ｃと、が形成されている。
【００６０】
一方、容器蓋１の内部キャップ２０は、下側に中央部が突出された傾斜底部２１と、前記傾斜底部２１から軸方向に延長され、内周面が前記第１円筒部１３の外周面と面接触しながら相互間にスライディングされる第２円筒部２３と、前記第２円筒部２３の上側から円周方向に１次延長されたあと、軸方向に２次延長されて、２段折曲される結合部２２と、を含んでいる。
【００６１】
前記第２円筒部２３は、その内部に前記第１円筒部１３が容易に結合されることができるように、上端の内径は下端の内径よりも相対的に大きく形成され、前記第１円筒部１３は、下端の外径が上端の外径よりも小さく形成されることが好ましく、また、前記第２円筒部２３の外周部は、第１円筒部１３がその内部に結合されるときに弾性変形が起こり得るように、ネックの内周部との間にギャップが形成されることが好ましい。
【００６２】
前記傾斜底部２１は円錐形状からなることが好ましいが、断面形状が半円形、ラウンド型、円錐台型などのように、粉末形態の添加物Ａを自重によって傾斜底部２１の側面に容易に移動させることができる形状であれば、いかなる形状も適用可能である。
【００６３】
前記第２円筒部２３の下側には、図３及び図７のように、等間隔で多数の排出口２４が形成されている。外部キャップ１０の１段階部分オープンによって、第１円筒部１３の下端が排出口２４の上側レベルに移動する場合に、前記多数の排出口２４を通じて収容空間１ａに収容された添加物Ａが容器本体５の内部に投入される。この場合、多数の排出口２４間には、図１及び図３によく示されたように、第２円筒部２３と傾斜底部２１を連結するための多数の連結部２４ａが配置されている。
【００６４】
また、前記傾斜底部２１と第２円筒部２３の多数の連結部２４ａ間には、第１円筒部１３の下端が挿入されることができる多数の溝２５が、傾斜底部２１の外周に沿って部分的に形成されている。
【００６５】
さらに、前記第１円筒部１３の下端が傾斜底部２１に結合されるとき、多数の排出口２４を遮断しながら収容空間１ａの内部をシーリング状態で設定するように、傾斜底部２１は、その外周部から軸方向に１次折曲されて延長された円筒状の延長部２１ａを具備し、前記円筒状の延長部２１ａと第２円筒部２３の多数の連結部２４ａとの間は相互連結されて多数の溝２５が形成される。
【００６６】
また、好ましくは、前記円筒状の延長部２１ａの外周部に第１円筒部１３の下端が嵌合されるとき、シーリング性能を補強するために、図６に示すように、円筒状の延長部２１ａの外周部に少なくとも１つのシーリング用環状小突起２１ｂを形成したり、第１円筒部１３の下端内周部に少なくとも１つの環状小突起１３ａを形成する。又は、両方ともに前記環状小突起２１ｂ、１３ａを同時に形成することもできる。好ましくは、第１円筒部１３の下端内周部のみに少なくとも１つの環状小突起１３ａを形成するものであり、大直径の容器蓋である場合はシーリング用環状小突起を形成することが好ましいが、小直径の容器蓋である場合はシーリング用環状小突起を省略しても構わない。
【００６７】
この場合、前記円筒状の延長部２１ａと傾斜底部２１の下部面には、第１円筒部１３の下端が前記円筒状の延長部２１ａの外周部に嵌合されるとき、円筒状の延長部２１ａと傾斜底部２１の支持強度を補強するために、多数の放射状の補強フレームを形成することも可能である。
【００６８】
さらに、第２円筒部２３の内周部には、第１円筒部１３の外周部と面接触されるときにシーリングを保障するために、環状小突起２３ｂを形成したり、または、上部板１２の下部面と面接触されるときにシーリングを保障するために、結合部２２の上部面に環状小突起２２ｃを形成することができる。
【００６９】
また、前記第２円筒部２３の最上部にはシーリング用延長部２３ａが形成されており、前記シーリング用延長部２３ａは、内部キャップ２０と外部キャップ１０が完全に結合されるとき、前記第１円筒部１３の下部面に形成された環状凹溝１２ｂに嵌合されてシーリングがなされる。
【００７０】
一方、前記第２円筒部２３の上側から２段折曲されて延長された結合部２２には、容器蓋１のオープンがなされていない状態のとき、すなわち、容器蓋１が容器本体５のネック６に組み立てられた初期の状態であるとき、ネック６の最上側に形成された環状の係止突起６ｂを取り囲むように環状凹溝２２ｄが下側に形成されている。上記初期の状態であるとき、結合部２２の下部面とネック６の上部との間にシーリングがなされるように、前記環状凹溝２２ｄは、係止突起６ｂが形成されたネック６の最上側の形状と対応する構造を有することが好ましい。
【００７１】
前記結合部２２の先端内周部には、組立時に係止突起６ｂとスナップ結合される第２係止突起２２ｂが形成され、結合部２２の外周部には、容器蓋１の１段階部分オープン時に螺合部１１の凹溝１１ｄにスナップ結合され、２段階完全オープン時に係止突起部１１ｃと係止される第１係止突起２２ａが形成されている。
【００７２】
前記第１係止突起２２ａと凹溝１１ｄのスナップ結合と、これによる一時停止は、容器蓋１を回転させることによって、１段階部分オープンに到達した時を使用者が直感的に認知できるようにして、収容空間１ａに収容された添加物Ａが容器本体５の内部に投入されている状態を認識し、容器を振って添加物Ａを容器内部の内容物と混合するように誘導するためのものである。
【００７３】
したがって、相互間にスナップ結合がなされる第１係止突起２２ａと凹溝１１ｄの設定位置は、図７のように、第１円筒部１３の下端が排出口２４の上側へ移動して、排出口２４が開放される外部キャップ、すなわち、容器蓋１の１段階部分オープンに到達したときに一致するように配置される。
【００７４】
一方、図７の拡大図のように、前記結合部２２の第１係止突起２２ａは、外部キャップ１０と内部キャップ２０の組立時に螺合部１１の係止突起部１１ｃとスナップ結合されるように、上側面に傾斜面または曲面が形成され、容器蓋１の完全オープン時に螺合部１１の係止突起部１１ｃと係合されるように、下側面が結合部２２の外周面と直角をなし、前記螺合部１１の係止突起部１１ｃは、組立時に結合部２２の第１係止突起２２ａとスナップ結合されるように、下側面に傾斜面または曲面が形成され、容器蓋１の完全オープン時に結合部２２の第１係止突起２２ａと係合されるように、上側面が螺合部１１の内周面と直角をなすことが好ましい。
【００７５】
また、ネック６の係止突起６ｂとスナップ結合される第２係止突起２２ｂの間には、２段階完全オープンによって、係止突起部１１ｃが第１係止突起２２ａに上向加圧力を印加するときに容易に結合関係が解除され得るように、係止突起６ｂの下側面と第２係止突起２２ｂの上側面とが接する接触面が水平面となす角は、ゼロ（０）よりも大きく傾斜角を持って設定することが好ましく、これは、第２係止突起２２ｂと一体に形成される内部キャップ２０の弾性力及び剛性度、及び係止突起部１１ｃと一体に形成される外部キャップ１０の弾性力及び剛性度によって設定されることが好ましい。
【００７６】
本発明では、このような点を考慮して、外部キャップ１０は、剛性度が高く弾性力が低い合成樹脂材料を利用することができ、内部キャップ２０は、相対的に剛性度が低く弾性力が高い弾性体材料、例えば、ゴム、軟質プラスチック、エラストマーなどを使用することができる。
【００７７】
このように、外部キャップ１０と内部キャップ２０を弾性力が互いに異なる材料を使用して製作する場合、係止突起６ｂの下側面と第２係止突起２２ｂの上側面とが接する接触面が水平面となす角は、弾性力を考慮して設定され、２段階完全オープンによって係止突起部１１ｃによって第１係止突起２２ａに加えられる上向加圧力が、係止突起６ｂの下側面と第２係止突起２２ｂとの間の結合力よりも大きく設定される。
【００７８】
さらに、係止突起６ｂの下側面と第２係止突起２２ｂの間の結合力は、傾斜底部２１の円筒状の延長部２１ａに嵌合される第１円筒部１３の結合力よりも大きく設定されなければならない。これは、外部キャップ１０の１段階部分オープン時まで内部キャップ２０の結合部２２がネック６の係止突起６ｂに結合された状態を維持しつつ、第１円筒部１３の下端が傾斜底部２１の円筒状の延長部２１ａから嵌合が解除されなければならないためである。
【００７９】
以下に、上記のように構成される本発明の第１実施例による容器蓋１の動作を説明する。
【００８０】
まず、本発明の容器蓋１は、外部キャップ１０の第１円筒部１３の内部に添加物Ａを入れる。その後、図９の状態で内部キャップ２０を外部キャップ１０の内部に単純にプッシングすると、内部キャップ２０と外部キャップ１０との間に弾性変形が起こりながら、内部キャップ２０の第１係止突起２２ａが外部キャップ１０の凹溝１１ｄに結合された図１０の状態を経て、内部キャップ２０の第２円筒部２３のシーリング用延長部２３ａが外部キャップ１０の凹溝１２ｂに挿入されるまで押し込むと、第２円筒部２３の下端部も傾斜底部２１の円筒状の延長部２１ａに嵌合されて、完全にシーリング結合がなされながら容器蓋１の組み立てが一度に完了する。
【００８１】
上記のように組み立てられた容器蓋１は、第１及び第２円筒部１３，２３によって排出口２４が遮蔽されて、内部の収容空間１ａがシーリング状態を維持するので、添加物Ａの漏洩が発生しなくなる。
【００８２】
次いで、内部に液状の内容物が収容されている容器本体５のネック６に、上記容器蓋１を、例えば、右ねじ方向に回転させて螺合すると、図２及び図５のように、内部キャップ２０の結合部２２の第２係止突起２２ｂがネック６の係止突起６ｂとスナップ結合されながら、スカート１０ａもまた遮断突起６ｃと支持台６ｄの間の凹溝にスナップ結合される。
【００８３】
上記のように、第２円筒部２３の下端部が内部キャップ２０のシーリング溝２５に嵌合されると、第１及び第２円筒部１３、２３によって形成される収容空間１ａの内部圧力は、容器本体５の内部圧力及び大気よりも高く設定される。したがって、このような圧力状態は、容器内部の空気または湿気、内容物が収容空間１ａの内部へ混入されるのを防止することができて、収容空間１ａに収容された添加物Ａの長期間保護が可能になる。
【００８４】
一方、上記のように組み立てられた商品が、流通過程を経て使用者に伝達されると、使用者は容器本体５の内部の内容物を飲用するために容器蓋１を開放することになる。
【００８５】
この場合、使用者が外部キャップ１０を、例えば、左ねじ方向に回転させることになると、まず、外部キャップ１０とスカート１０ａが遮断突起６ｃによって分離されたあと、回転が続けると、図３及び図７のように、第１係止突起２２ａが半球形状のリング状突起１１ｅを通過しながら螺合部１１の凹溝１１ｄにスナップ結合され、係止突起部１１ｃにかかって一時停止されると１段階部分オープン状態で設定される。
【００８６】
前記１段階部分オープン状態に到達すると、第１円筒部１３の下端が排出口２４の上側へ移動するので、排出口２４が開放されて容器蓋１の収容空間１ａに収容された添加物Ａが容器本体５の内部に投入される。
【００８７】
その後、使用者は容器を振ることによって添加物Ａを容器内部の内容物と混合する。
【００８８】
次いで、容器本体５の内部の混合物を飲用できるように、容器蓋１を容器本体５のネック６から分離させるために、続けて容器蓋１を左ねじ方向に回転させると、係止突起部１１ｃが第１係止突起２２ａに上向加圧力を印加しながら回転されるので、その結果、図８のように、結合部２２の自由端部が持ち上がりながら第２係止突起２２ｂがネック６の係止突起６ｂから結合が解除されることになる。
【００８９】
その後、容器蓋１を容器本体５のネック６から引き出すと、図４のように、容器蓋１と容器本体５の完全な分離がなされながら、２段階完全オープン状態となる。したがって、使用者は容器本体５の内部の混合物を飲用できるようになる。
【００９０】
上記のように、本発明の第１実施例による容器蓋１は、前記容器本体５のネック６に結合されて内容物が流出されないように気密状態を維持すると共に、飲用のために１段階部分オープン時に容器蓋１の内部の収容空間１ａに隔離収容された添加物Ａを容器本体５の内部に投入して内容物に混合させ、２段階完全オープン時に内部キャップ２０が外部キャップ１０と共に容器本体５から分離される。
【００９１】
したがって、上記第１実施例による容器蓋１を採用すると、製造業者は簡単に外部キャップ１０に添加物Ａを入れたあと、内部キャップ２０を単純組立して容器本体５に容易に組み立てることができる。
【００９２】
また、使用者は、商品を購入した後に１段階部分オープン及び２段階完全オープンを経つつ自然に添加物Ａを容器本体５の内部へ投入して、内容物に混合させることができ、容器蓋１は、外部キャップ１０に内部キャップ２０が組み立てられた状態で一緒に容器本体５から分離されることによって、使用の便宜性及び安全性を図ることができる。
【００９３】
本発明では、外部キャップ１０と内部キャップ２０との結合時に形成される添加物Ａの収容空間１ａの内部が、容器内部及び外部よりも圧力がもっと高く設定されて、外部空気または湿気が収容空間１ａの内部へ混入されることを根本的に遮断して、添加物Ａの長期保存が可能である。
【００９４】
また、本発明では、内部キャップ２０が外部キャップ１０と結合されるとき、第１及び第２円筒部１３、２３の先端部によって容器蓋１の内部の収容空間１ａをシーリングさせることによって、容器本体５から収容空間１ａの内部に浸透したり、収容空間１ａから容器本体５に漏洩されるのを遮断することができ、その他にも、容器本体５と外部キャップ１０の間の漏洩を遮断するように、多様な多重シーリング構造が採用されている。
【００９５】
上記した多数の環状小突起２３ｂ、２２ｃが内部キャップ２０の第２円筒部２３及び結合部２２の内周部または上側面に具備されてシーリング状態を補強することができる。すなわち、環状小突起２３ｂは、容器蓋１のオープン前だけでなく、図７のように、１段階部分オープン時にも第１及び第２円筒部１３、２３間をシーリングさせる役割をする。また、環状小突起２２ｃは、１段階部分オープンがなされる前の状態であるとき、外部空気や湿気が容器蓋の１内部に浸透することを遮断する。
【００９６】
さらに、内部キャップ２０の結合部２２、特に第２係止突起２２ｂは、ネック６に組み立てられた場合、ネック６の係止突起６ｂに結合されながら容器本体５の内部に外部空気が導入されるのを遮断することになる。
【００９７】
したがって、本発明では、１段階部分オープン前／後、いずれの段階でもシーリングが維持されて、容器または収容空間１ａの漏洩が発生しないので安全性を図ることができる。
【００９８】
また、本発明の容器蓋１は、一度使用した後再使用の場合にも分解／組立が容易であるので洗浄後に再使用が可能であり、添加物Ａが混合された混合物を一部だけ取り一部を残す場合、容器蓋１を分離させる動作の逆順で、容器本体５に容器蓋１を螺合させると、図２のように設定されて容器本体５の内部はシーリング状態が維持されることになる。
【００９９】
さらに、本発明による容器蓋１は、容器本体５のネック６及び外部キャップ１０と内部キャップ２０の結合構造及びシーリング構造が単純な構造を採用することによって、容器本体５のネック６及び外部キャップ１０は、例えば、合成樹脂を使用し、内部キャップ２０はエラストマーのような弾性体材料を使用して成形が容易にできる。
【０１００】
また、外部キャップ１０と内部キャップ２０の組立、及び容器本体５のネック６に対する組立及び分離が非常に単純で容易にできる。
【０１０１】
以下に、図１１乃至図１３を参考にして、本発明の好適な第２実施例による容器蓋を説明する。
【０１０２】
図示した第２実施例は、上記の第１実施例と基本的な構造及び作用が同一である。したがって、同一の構成要素には同一の符号を付し、これに対しは詳細な説明を省略する。
【０１０３】
第１実施例による容器蓋１は、外部キャップ１０の下部面に内部キャップ２０の第２円筒部２３のシーリング用延長部２３ａが結合される凹溝１２ｂが形成されているが、第２実施例による容器蓋１では、外部キャップ１０の下部面に凹溝を除去するように上部板１２の段差部１２ｃが第１円筒部１３の外周に形成され、第２円筒部２３のシーリング用延長部を除去した。
【０１０４】
また、第１実施例による容器蓋１は、結合部２２の第１係止突起２２ａがスナップ結合される半球形状のリング状突起１１ｅと凹溝１１ｄが係止突起部１１ｃの上側に形成されているが、第２実施例による容器蓋１では、半球形状のリング状突起を除去し、その結果、係止突起部１１ｃの上側の凹溝も除去した。
【０１０５】
上記した第２実施例の変形された構造は、まず、収容空間１ａに対するシーリング構造に関するものであるが、これを除去しても、他のシーリング構造によって充分なシーリングがなされ、その代わりに外部キャップ１０と内部キャップ２０の構造がさらに単純化されて製造が容易にできるという利点がある。
【０１０６】
また、容器蓋１の開閉時に第１係止突起２２ａとスナップ結合される凹溝１１ｄは、これを除去しても係止突起部１１ｃによる一時停止がなされるので動作上に問題は発生しない。
【０１０７】
したがって、第２実施例による容器蓋１は、図１１のように、収容空間１ａに添加物Ａが収容された状態で容器本体５のネック６に組み立てられて使用者に販売され、使用者は、図１２のように、１段階部分オープン後に容器を振って添加物Ａを容器内部の内容物と混合し、図１３のように、２段階完全オープンを実施して容器内部の混合物を飲用することができるようになる。
【０１０８】
第２実施例もまた第１実施例と実質的に同一の作用がなされるので、上記した第１実施例と同一の特徴及び利点を有することになる。
【０１０９】
上記第１及び第２実施例の容器蓋は、例えば、スポーツ飲料などの飲料容器に適用されるものであって、容器本体に内容物を注入したあと、８７℃乃至９３℃で、１５分乃至２０分程度の殺菌処理過程に耐えうる耐熱材料及び構造で設計されたものである。
【０１１０】
ところが、ＰＥＴのような材質を容器に使用すると、高温殺菌過程を行うとき、６０℃で熱変形が生じるので、容器本体のネックの内部に凹溝を具備する場合に凹溝にも変形が生じる。その結果、耐熱性ＰＥＴを使用する場合、２次加工、すなわちクリスタル化（結晶化）過程を通じて材料の耐熱温度を高めることが要求される。
【０１１１】
ところが、常温流通されるミネラルウォーターなどを入れたり又は無菌充填がなされる場合、高温殺菌過程を経ないのでＰＥＴのような一般的な樹脂材料を使用して容器本体のネックの内部に凹溝を形成しても、いかなる２次加工も要求されない。
【０１１２】
以下に説明する第３実施例は、容器本体の内部に常温流通されるミネラルウォーターや無菌充填がなされる飲料を、ＰＥＴのような一般的な樹脂材料を使用して製作する場合、または上記の２次加工を通じて耐熱温度を高めた材料を使用するとき、これに適用可能な容器蓋に対して説明する。
【０１１３】
図示した第３実施例は、上記の第１実施例と基本的な構造及び作用が同一であり、したがって、同一の構成要素には同一の符号を付し、これに対しは詳細な説明を省略する。
【０１１４】
第１実施例による容器蓋１は、ネック６の先端外周部に環状の係止突起６ｂが突出形成されているが、第３実施例による容器蓋１では、係止突起６ｂを除去する代わりに内周部に係止凹溝６ｅを形成し、前記係止凹溝６ｅと対向する第２円筒部２３の外周には第３係止突起２３ｃを形成した。前記結合部２２は、係止突起６ｂの除去によって係止突起６ｂと結合される第２係止突起２２ｂを除去し、先端部に第１係止突起２２ａのみを残した。
【０１１５】
第３実施例で、前記係止凹溝６ｅと第３係止突起２３ｃとの間の結合力は、傾斜底部２１の円筒状の延長部２１ａに嵌合される第１円筒部１３の結合力よりも大きく設定されなければならない。これは、外部キャップ１０が１段階部分オープンされるまで内部キャップ２０の第３係止突起２３ｃがネック６の係止凹溝６ｅに結合された状態を維持しつつ、第１円筒部１３の下端が傾斜底部２１の円筒状の延長部２１ａから嵌合が解除されなければないためである。
【０１１６】
また、２段階完全オープン時に内部キャップ２０が外部キャップ１０と共に容器本体５のネック６から分離されることができるように、前記係止凹溝６ｅと第３係止突起２３ｃの間の結合力は、２段階完全オープンによって係止突起部１１ｃによって第１係止突起２２ａに加えられる上向加圧力よりも小さく設定される。
【０１１７】
上記の第３実施例による容器蓋１は、第１実施例と同様に収容空間１ａに添加物Ａが収容された状態で容器本体５のネック６に組み立てられて使用者に販売され、使用者は、図１４のように、外部キャップ１０の１段階部分オープン後に容器を振って添加物Ａを容器内部の内容物と混合し、２段階完全オープンを実施して容器内部の混合物を飲用することができるようになる。
【０１１８】
すなわち、外部キャップ１０の１段階部分オープン時には、係止凹溝６ｅと第３係止突起２３ｃとの間にスナップ結合されている結合力によって、内部キャップ２０がネック６に結合された状態を維持し、２段階完全オープンのために続けて外部キャップ１０を左ねじ方向に回転させると、係止突起部１１ｃが第１係止突起２２ａに上向加圧力を印加しながら回転されるので、その結果、結合部２２の自由端部が持ち上がり、第３係止突起２３ｃがネック６の係止凹溝６ｅから結合が解除されることになる。
【０１１９】
その後、外部キャップ１０、すなわち容器蓋１を容器本体５のネック６から引き出すと、容器蓋１と容器本体５の完全な分離がなされ、２段階完全オープン状態となる。したがって、使用者は安全に容器本体５の内部の混合物を飲用することができるようになる。
【０１２０】
上記の第３実施例で、外部キャップ１０が１段階部分オープンされるまで内部キャップ２０をネック６に結合された状態を維持させるように変形された構造は、第１実施例の構造に比べて結合部２２の構造がもっと単純化されて製造が容易な利点がある。
【０１２１】
第３実施例もまた第１実施例と実質的に同一の作用がなされるので、上記した第１実施例と同一の特徴及び利点を有することになる。
【０１２２】
上記の第１及び第２実施例では、外部キャップの上部板の中央が周辺よりも隆起するように２段折曲された段差部が形成されているが、段差部なしに形成することも可能である。
【０１２３】
また、容器蓋に収容される添加物は、粉末状のものだけでなく、排出口の大きさを増加させることによって粒子状のものも使用可能である。
【０１２４】
一方、本発明では、各容器蓋に多様な種類の添加物を収容保管し、消費者は趣向に応じて所望の添加物が収容された容器蓋を容易に入れ替えて飲用することができて、それによる製品の機能性及び消費者の満足度を高めることができる。
【０１２５】
以上では、本発明を特定の好ましい実施例を例に挙げて図示し説明したが、本発明は、上記の実施例に限定されず、本発明の精神を逸脱しない範囲内で当該発明の属する技術分野における通常の知識を有する者によって多様な変更及び修正が可能である。
【産業上の利用可能性】
【０１２６】
本発明は、各部品の製造が容易で且つ組み立てが単純であり、再使用が可能なシーリング結合構造を採用しており、段階的に容器蓋をオープンして、容器蓋に収容された添加物を容器本体の内部の内容物に混合したあと、内容物と混合された混合物を便利に飲用したり使用することのできる容器蓋に適用される。
【図１】
2012519631.tif 000003
【図２】
2012519631.tif 000004
【図３】
2012519631.tif 000005
【図４】
2012519631.tif 000006
【図５】
2012519631.tif 000007
【図６】
2012519631.tif 000008
【図７】
2012519631.tif 000009
【図８】
2012519631.tif 000010
【図９】
2012519631.tif 000011
【図１０】
2012519631.tif 000012
【図１１】
2012519631.tif 000013
【図１２】
2012519631.tif 000014
【図１３】
2012519631.tif 000015
【図１４】
2012519631.tif 000016
【国際調査報告】
2012519631.tif 000017
2012519631.tif 000018
2012519631.tif 000019
2012519631.tif 000020